(57)【要約】【課題】本発明は、カメラレンズモジュールに備えられるシャッターブレード(shutter blade)を両側方向にスライド移動させてレンズ開口を開閉するようにシャッター駆動装置部を構成したカメラモジュールのシャッター駆動装置を開示する。【解決手段】本発明のカメラレンズモジュールのシャッター駆動装置は、長さ方向に伸びるレンズハウジングと、前記レンズハウジングに備えられて前記レンズハウジングの長さ方向に沿ってスライド移動して前記レンズモジュールのレンズ開口を開放及び遮断させる一対のシャッターブレードと、前記シャッターブレードと回転リンクによって連結され、一対の電磁石を備え、前記各々の電磁石の電極の間に永久磁石を備えて電流の供給に応じて磁気場を発生させて前記回転リンクと連結された永久磁石を回転させて前記シャッターブレードをスライド移動させる一対のシャッター駆動装置部と、を備えてなる。【選択図】図３
2007140454.tif 000002
【特許請求の範囲】
【請求項１】
カメラレンズモジュールのシャッター駆動装置であって、
長さ方向に伸びるレンズハウジングと、
前記レンズハウジングに備えられて前記レンズハウジングの長さ方向に沿ってスライド移動して前記レンズモジュールのレンズ開口を開放及び遮断させる一対のシャッターブレードと、
前記シャッターブレードと回転リンクによって連結され、一対の電磁石を備え、前記各々の電磁石の電極の間に永久磁石を備えて電流の供給に応じて磁気場を発生させて前記回転リンクと連結された永久磁石を回転させて前記シャッターブレードをスライド移動させる一対のシャッター駆動装置部と、を備えることを特徴とするカメラモジュールのシャッター駆動装置。
【請求項２】
前記電磁石の電極は少なくとも一つ以上であることを特徴とする、請求項１に記載のカメラモジュールのシャッター駆動装置。
【請求項３】
前記電磁石の電極は前記電磁石の両方に提供されることを特徴とする、請求項２に記載のカメラモジュールのシャッター駆動装置。
【請求項４】
前記回転リンクの一端は前記シャッターブレードに連結され、前記他の一端は前記永久磁石に連結されることを特徴とする、請求項１に記載のカメラモジュールのシャッター駆動装置。
【請求項５】
前記シャッターブレード及び前記永久磁石には、前記回転リンクと連結するために連結ホールがさらに形成されることを特徴とする、請求項１に記載のカメラモジュールのシャッター駆動装置。
【請求項６】
前記シャッターブレードは、前記レンズハウジングの長さ方向に沿って前記レンズ開口を中心として両側方向にスライド移動することを特徴とする、請求項１に記載のカメラモジュールのシャッター駆動装置。
【請求項７】
前記一方のシャッターブレードには結合部材が形成され、前記他方のシャッターブレードには、前記シャッターブレードのスライド移動の際に前記結合部材と結合及び離脱されるように結合溝がさらに形成されることを特徴とする、請求項１に記載のカメラモジュールのシャッター駆動装置。
【請求項８】
前記結合部材は前記結合溝内で結合されることを特徴とする、請求項７に記載のカメラモジュールのシャッター駆動装置。
【請求項９】
前記結合部材及び結合溝は半円状であることを特徴とする、請求項７に記載のカメラモジュールのシャッター駆動装置。
【請求項１０】
前記シャッター駆動装置部は、前記レンズ開口の隣接位置に備えられる一対の電磁石と、前記各々の電磁石の間に備えられて前記各々の電磁石に電流を供給するとともに、電磁石をＮ、Ｓの両電極に変換させて磁気力を発生させ、その磁気力を用いて回転する永久磁石と、を備えることを特徴とする、請求項１に記載のカメラモジュールのシャッター駆動装置。
【請求項１１】
前記シャッターブレードは正方形状であることを特徴とする、請求項１に記載のカメラモジュールのシャッター駆動装置。
【請求項１２】
カメラレンズモジュールのシャッター駆動装置であって、
長さ方向に伸びるレンズハウジングと、
前記レンズハウジングに備えられて前記レンズハウジングの長さ方向に沿ってスライド移動して前記レンズモジュールのレンズ開口を開放及び遮断させる第１及び第２のシャッターブレードと、
前記第１のシャッターブレードと回転リンクによって連結され、一対の電磁石を備え、前記各々の電磁石の電極の間に永久磁石を備えて電流の供給に応じて電気場を発生させて前記回転リンクと連結された永久磁石を回転させて前記シャッターブレードをスライド移動させるシャッター駆動装置部と、
前記第１及び第２のシャッターブレードと前記シャッター駆動装置部とが互いにワイヤーによって連結されて前記シャッター駆動装置部の作動の際に前記ワイヤーを巻取り及び巻戻すことにより、前記各々のシャッターブレードをスライド移動させる少なくとも一つ以上のワイヤー巻取り手段と、を備えてなることを特徴とするカメラモジュールのシャッター駆動装置。
【請求項１３】
前記電磁石の電極は少なくとも一つ以上であることを特徴とする、請求項１２に記載のカメラモジュールのシャッター駆動装置。
【請求項１４】
前記電磁石の電極は前記電磁石の両方に提供されることを特徴とする、請求項１３に記載のカメラモジュールのシャッター駆動装置。
【請求項１５】
前記シャッター駆動装置部は前記第１のシャッターブレードに設けられ、前記第１のシャッターブレードがスライド移動するとともに前記第２のシャッターブレードも移動することを特徴とする、請求項１２に記載のカメラモジュールのシャッター駆動装置。
【請求項１６】
前記ワイヤー巻取り手段は、
前記第１及び第２のシャッターブレードを連結させる第１のワイヤーと、
前記第２のシャッターブレードと前記回転リンクを連結させる第２のワイヤーと、
前記レンズハウジング内に備えられて前記シャッター駆動装置部の永久磁石を反時計、時計方向に回転させるとともに、前記回転リンクも回転させて前記第１のシャッターブレードをスライド移動させ、前記第１及び第２のワイヤーを巻取るか、巻戻して前記第２のシャッターブレードをスライド移動させる少なくとも一つ以上のローラー部と、を備えてなることを特徴とする、請求項１２に記載のカメラモジュールのシャッター駆動装置。
【請求項１７】
前記ローラー部は、前記第２のシャッターブレードの隣接位置に備えられて前記第１のシャッターブレードのスライド移動の際に前記第１のワイヤーを回転移動させるとともに、前記第２のシャッターブレードを移動させる第１のローラー部と、
前記回転リンクに備えられて前記第２のシャッターブレードが移動すると、前記第２のワイヤーを巻取るか、巻戻す第２のローラー部と、
前記第１のシャッターブレードの隣接位置に備えられて前記第２のシャッターブレードを移動可能に前記第２のワイヤーを回転移動させる第３のローラー部と、を備えてなることを特徴とする、請求項１６に記載のカメラモジュールのシャッター駆動装置。
【請求項１８】
前記第１のワイヤーの一端は前記第１のシャッターブレードの一端に連結され、他の一端は前記第２のシャッターブレードの中心軸端に連結され、
前記第２のワイヤーの一端は前記回転リンクに連結され、他の一端は前記第２のシャッターブレードの一端に連結されることを特徴とする、請求項１６に記載のカメラモジュールのシャッター駆動装置。
【請求項１９】
前記第１のシャッターブレードの一側面には、前記シャッターブレードの長さ方向に提供され、前記第２のワイヤーの回転移動をガイドする第１のガイド溝が形成され、
前記第２のシャッターブレードの一側面には、前記シャッターブレードの長さ方向に提供され、前記第１のワイヤーの回転移動をガイドする第２のガイド溝が形成されることを特徴とする、請求項１２に記載のカメラモジュールのシャッター駆動装置。
【請求項２０】
カメラレンズモジュールのシャッター駆動装置であって、
長さ方向に伸びるレンズハウジングと、
前記レンズハウジングに備えられて前記レンズハウジングの長さ方向に沿ってスライド移動して前記レンズモジュールのレンズ開口を開放及び遮断させるシャッターブレードと、
前記シャッターブレードと回転リンクによって連結され、一対の電磁石及び永久磁石を備えて電流の供給に応じて磁気場を発生させて前記回転リンクを回転させるとともに、前記シャッターブレードをスライド移動させるシャッター駆動装置部と、を備えることを特徴とするカメラモジュールのシャッター駆動装置。
【発明の詳細な説明】
【技術分野】
【０００１】
本発明は、シャッターブレードをスライド移動させる構成に係り、特に、カメラレンズモジュールに備えられるシャッターブレード(shutter blade)を両側方向にスライド移動させてレンズ開口を開閉させるカメラモジュールのシャッター駆動装置に関する。
【背景技術】
【０００２】
一般に、カメラモジュールはビデオカメラ、電子スチールカメラ、ＰＣカメラ端末機及びカメラフォンなどでイメージの認識のために備えられる。
【０００３】
最近、高密度の技術の発達とともにカメラのサイズ及び撮像画面が小型化するにつれて、三角台などの支持台なしにユーザーが手でカメラモジュールを持ちながら撮影できる小型化した様々なカメラモジュールが開示されている。
【０００４】
そのうち、携帯端末機にカメラモジュールを装着して相手と画像通話を行うか、所望の被写体の写真を取るか、動画の撮影が可能になった。
【０００５】
このように前記携帯端末機のパターンを従来の単純な音声、文字伝送の媒体機能を超えて現在の画像を瞬間的にキャプチャーし、貯蔵して伝送するカメラモジュールを搭載した高性能の複合的機器に変わりつつある。
【０００６】
前記カメラモジュールでは、通常的にカメラレンズの絞りとシャッターブレードが重なって設けられている。
【０００７】
図１及び図２を参照して従来のカメラモジュール１の構成を調べると、カメラモジュール１は、レンズハウジング２と、前記レンズハウジング２内に備えられる回路基板(図示せず)と、前記回路基板に備えられるカメラレンズモジュール３と、前記カメラレンズモジュール３のレンズに設けられて回転軸Ａ１を中心として反時計、時計方向に回転して前記レンズモジュールのレンズ開口４を開閉させるシャッターブレード５と、前記シャッターブレード５の一端に設けられ、電磁石(図示せず)が備えられて前記電磁石に電流を供給する際に磁気場を発生させて前記シャッターブレード５を回転させるシャッター駆動部６とを備える。
【０００８】
前記レンズハウジング２は、前記シャッター駆動部６及び前記シャッターブレード５を備え、前記シャッターブレード５の回転可能な空間が提供される。
【０００９】
しかしながら、従来のカメラモジュールのシャッター駆動装置は、前記レンズ開口を開閉するために、前記シャッターブレードを回転させる必要があるので、前記カメラモジュールに前記シャッターブレードの回転空間を別途に提供しなければならない。これにより、前記カメラモジュールの厚さ及び嵩が増加して小型化及びスリム化に制限が生ずる。
【発明の開示】
【発明が解決しようとする課題】
【００１０】
したがって、前記従来の問題点を解決するための本発明の目的は、カメラレンズモジュールに備えられるシャッターブレードを両側方向にスライド移動させてレンズ開口を開閉させるシャッター駆動装置部を構成することにより、カメラレンズモジュール内のシャッター駆動装置の設置空間を減らしてカメラモジュールの小型化及びスリム化を達成するカメラモジュールのシャッター駆動装置を提供することである。
【００１１】
本発明の他の目的は、カメラレンズモジュールに備えられるシャッターブレードをワイヤーを用いてスライド移動させてレンズ開口を開閉させるシャッター駆動装置部を構成することにより、シャッターブレードの開閉動作を容易にしたカメラモジュールのシャッター駆動装置を提供することである。
【課題を解決するための手段】
【００１２】
このような目的を達成するための本発明の第１の実施形態では、カメラレンズモジュールのシャッター駆動装置が、長さ方向に伸びるレンズハウジングと、前記レンズハウジングに備えられて前記レンズハウジングの長さ方向に沿ってスライド移動して前記レンズモジュールのレンズ開口を開放及び遮断させる一対のシャッターブレードと、前記シャッターブレードと回転リンクによって連結され、一対の電磁石を備え、前記各々の電磁石の電極の間に永久磁石を備えて電流の供給に応じて磁気場を発生させて前記回転リンクと連結された永久磁石を回転させて前記シャッターブレードをスライド移動させる一対のシャッター駆動装置部と、を備えることを特徴とする。
【００１３】
また、前記目的を達成するための本発明の第２の実施形態では、カメラレンズモジュールのシャッター駆動装置が、長さ方向に伸びるレンズハウジングと、前記レンズハウジングに備えられて前記レンズハウジングの長さ方向に沿ってスライド移動して前記レンズモジュールのレンズ開口を開放及び遮断させる第１及び第２のシャッターブレードと、前記第１のシャッターブレードと回転リンクによって連結され、一対の電磁石を備え、前記各々の電磁石の電極の間に永久磁石を備えて電流の供給に応じて電気場を発生させて前記回転リンクと連結された永久磁石を回転させて前記シャッターブレードをスライド移動させるシャッター駆動装置部と、前記第１及び第２のシャッターブレードと前記シャッター駆動装置部とが互いにワイヤーによって連結されて前記シャッター駆動装置部の作動の際に前記ワイヤーを巻取り及び巻戻すことにより、前記各々のシャッターブレードをスライド移動させる少なくとも一つ以上のワイヤー巻取り手段と、を備えてなることを特徴とする。
【発明の効果】
【００１４】
本発明によれば、カメラレンズモジュールに備えられるシャッターブレードを両側方向にスライド移動させてレンズ開口を開閉させるシャッター駆動装置を構成することにより、カメラレンズモジュール内のシャッター駆動装置の設置空間を減らしてカメラモジュールの小型化及びスリム化を達成することができる。
【発明を実施するための最良の形態】
【００１５】
以下、本発明の好適な実施形態を添付図面を参照して詳細に説明する。なお、下記の説明において、本発明の要旨のみを明瞭にする目的で、関連した公知の機能又は構成に関する具体的な説明は省略する。
【００１６】
図３及び図４を参照すれば、カメラモジュールのシャッター駆動装置１０は、レンズハウジング２０と、一対のシャッターブレード３０と、一対のシャッター駆動装置部４０とを備えてなる。前記レンズハウジング２０は前記シャッターブレード３０を両方にスライド移動可能に長さ方向に延長提供され、前記シャッターブレード３０は前記レンズハウジング２０の長さ方向に沿ってスライド移動して前記レンズモジュール３のレンズ開口４を開放及び遮断させるように前記レンズハウジング２０内に備えられる。前記一対のシャッター駆動装置部４０は前記シャッターブレード３０と回転リンク５０によって連結される。前記各シャッター駆動装置部４０は、一対の電磁石４１を備え、前記各々の電磁石４１の間に永久磁石４２を備えて電流の供給に応じて磁気場を発生させて前記回転リンク５０と連結された永久磁石４２を回転させて前記シャッターブレード３０をスライド移動させるように前記シャッターブレード３０の下部に備えられている。
【００１７】
図４及び図５を参照すれば、前記回転リンク５０の一端５１は、前記永久磁石４２の回転力を前記シャッターブレードに伝えるように前記シャッターブレード３０に連結され、前記回転リンク５０の他の一端５２は前記永久磁石４２に連結されている。前記シャッターブレード３０及び前記永久磁石４２には、前記回転リンク５０と連結するために連結ホール６０が形成されている。
【００１８】
図５、図６及び図９を参照すれば、前記シャッターブレード３０は、前記レンズハウジング２０の長さ方向に沿って前記レンズ開口４を中心として左右の両方にスライド移動するようになっている。
【００１９】
図７及び図９を参照すれば、前記一方のシャッターブレード３１には結合部材３１ａが形成され、前記他方のシャッターブレード３２には前記シャッターブレード３０のスライド移動の際に前記結合部材３１ａと結合及び離脱されるように結合溝３２ａが形成されている。
【００２０】
前記結合部材３１ａ及び結合溝３２ａは半円状である。
【００２１】
図３、図６、図８及び図１０を参照すれば、前記シャッター駆動装置部４０は一対の電磁石４１と永久磁石４２を備える。前記一対の電磁石４１はコイル及び磁石を備え、電流の供給に応じて磁気場を発生させる。前記永久磁石４２は、前記各々の電磁石４１に電流を供給するとともに、電磁石４１のＮ、Ｓの両電極に変換させて磁気力を発生させ、これを用いて回転するように前記各々の電磁石４１の間に備えられている。
【００２２】
上述した構成を持つ本発明の好ましい第１の実施形態によるカメラモジュールのシャッター駆動装置の動作過程を図３乃至図１１を参照して詳しく説明すると、次の通りである。
【００２３】
図３及び図４を参照すれば、カメラモジュールのシャッター駆動装置１０は、長さ方向に伸びるレンズハウジング２０と、一対のシャッターブレード３１，３２と、一対のシャッター駆動装置部４０とを備える。
【００２４】
前記レンズハウジング２０内に前記一対のシャッター駆動装置部４０を前記長さ方向に備え、前記シャッター駆動装置部４０の上部に前記一対のシャッターブレード３０を備える。
【００２５】
図４を参照すれば、前記一対のシャッターブレード３１，３２は、前記レンズハウジング２０内に備えられたレンズ開口４の上部に備えられる。この際、図５に示したように、前記シャッターブレード３０に形成された連結ホール６０に回転リンク５０の一端５１を回転可能に連結させ、前記回転リンク５０の他の一端５２は前記シャッター駆動装置部４０の永久磁石４２に形成された連結ホール６０に連結する。
【００２６】
このような状態で、図５、図７及び図９に示したように、前記一対のシャッターブレード３１，３２を作動させる場合、前記レンズ開口４の隣接位置に備えられた一対の電磁石４１に電流を供給するとともに、前記各々の電磁石４１をＮ、Ｓの両電極に変換させて磁気力を発生させ、これを用いて前記各々の電磁石４１の間に備えられた永久磁石４２を反時計方向に回転させる。
【００２７】
図６及び図８を参照すれば、前記永久磁石４２は前記回転リンク５０と連結されているため、前記永久磁石４２が回転すると、前記回転リンク５０と回転するとともに、前記一対のシャッターブレード３１，３２を前記レンズ開口４の両側方向にスライド移動させる。
【００２８】
この際、図７及び図９を参照すれば、前記各々のシャッターブレード３１，３２がスライド移動するとともに、前記一方のシャッターブレード３１に形成された結合部材３１ａが前記他方のシャッターブレード３２に形成された結合溝３２ａから離脱される。
【００２９】
図１０に示したように、前記各々のシャッターブレード３１，３２がスライド移動して前記レンズ開口４を開放させる。
【００３０】
図７及び図８に示したように、前記一対の電磁石４１に電流を再び供給する。この際、電流の流れを変えることにより、前記電磁石４１のＮ、Ｓの両電極を逆変換させるとともに、磁気力を発生させ、これを用いて前記永久磁石４２を時計方向に回転させる。
【００３１】
この際、図５及び図６のように前記永久磁石４２とともに前記回転リンク５０も時計方向に回転して前記一対のシャッターブレード３１，３２を再びスライド移動させて前記レンズ開口４を閉じる。
【００３２】
図４を参照すれば、前記各々のシャッターブレード３１，３２がスライド移動するとともに、前記一方のシャッターブレード３１に形成された結合部材３１ａが前記他方のシャッターブレード３２に形成された結合溝３２ａで再び結合される。
【００３３】
ここで、前記シャッターブレード３１，３２の結合部材３１ａ及び結合溝３２ａは結合を容易にするように半円状を有する。
【００３４】
さらに、図１１に示したように、前記シャッターブレード３０は本発明の他の実施形態によれば、正方形のシャッターブレード７０を有する。
【００３５】
さらに、上述した構成を持つ本発明の好ましい第２の実施形態によるカメラモジュールのシャッター駆動装置の動作過程を図１２乃至図１９を参照して説明すると次の通りである。
【００３６】
図１２及び図１３を参照すれば、カメラモジュールのシャッター駆動装置１０は、長さ方向に伸びるレンズハウジング２０と、第１、第２のシャッターブレード３１，３２と、一つのシャッター駆動装置部４０と、少なくとも一つ以上のワイヤー巻取り手段１００とを備える。
【００３７】
図１４を参照すれば、前記レンズハウジング２０内に前記シャッター駆動装置部４０を前記長さ方向に備え、前記シャッター駆動装置部４０の上部に前記第１、第２のシャッターブレード３１，３２を備える。前記第１、第２のシャッターブレード３１，３２は前記レンズハウジング２０内に備えられたレンズ開口４の上部に備えられる。
【００３８】
この際、前記各々のシャッターブレード３１，３２に形成された連結ホール６０に回転リンク５０の一端５１を回転可能に連結させ、前記回転リンク５０の他の一端５２は前記シャッター駆動装置部４０の永久磁石４２に形成された連結ホール６０に連結する。
【００３９】
図１３に示したように、前記ワイヤー巻取り手段１００は第１、第２のワイヤー１０１，１０２と、少なくとも一つ以上のローラー部１０３とを備える。前記ローラー部１０３は第１、第２、第３のローラー部１０３ａ，１０３ｂ，１０３ｃを備える。前記第１のワイヤー１０１の一端１０１ａは前記第１のシャッターブレード３１の一端と連結され、前記第１のワイヤー１０１の他の一端１０１ｂは前記第２のシャッターブレード３２の中心軸端に連結される。前記第２のワイヤー１０２の一端１０２ａは前記回転リンク５０に連結され、前記第２のワイヤー１０２の他の一端１０２ｂは前記第２のシャッターブレード３２の一端に連結される。
【００４０】
このような状態で、図１４、図１６及び図１８のように、前記第１、第２のシャッターブレード３１，３２を作動させる場合、前記レンズ開口４の隣接位置に備えられた電磁石４１に電流を供給するとともに、前記電磁石４１のＮ、Ｓの両電極に変換させて磁気力を発生させ、これを用いて前記電磁石４１の間に備えられた永久磁石４２を反時計方向に回転させる。
【００４１】
図１５及び図１７を参照すれば、前記永久磁石４２は前記回転リンク５０と連結されているため、前記永久磁石４２が回転すると、前記回転リンク５０も回転する。同時に、前記第１のシャッターブレード３１を前記レンズハウジング２０の長さ方向に沿ってスライド移動させる。
【００４２】
この際、図１９に示したように、前記第１のシャッターブレード３１と連結された第１のワイヤー１０１の一端１０１ｂを前記スライド方向に移動させる。前記第１のワイヤー１０１は前記第２のシャッターブレード３２の隣接位置に備えられた第１のローラー部１０３ａによって回転移動する。前記第１のローラー部１０３ａは前記第１のワイヤー１０１のスライド移動方向を変えるとともに、前記第１のワイヤー１０１の他の一端１０１ｂと連結された第２のシャッターブレード３２をスライド移動させる。この際、前記回転リンク５０の第２のローラー部１０３ｂと連結された第２のワイヤー１０２の一端１０２ａは前記回転リンク５０の反時計方向に回転するとともに、前記回転リンク５０の第２のローラー部１０３ｂに巻かれている第２のワイヤー１０２を巻き戻す。
【００４３】
前記第２のワイヤー１０２の他の一端１０２ｂは第２のシャッターブレード３２と連結されているため、前記第２のワイヤー１０２が巻戻るとともに、前記第１のシャッターブレード３１の隣接位置に備えられた第３のローラー部１０３ｃによって回転移動する。
【００４４】
したがって、図１７及び図１９のように、前記第２のワイヤー１０２が前記第２のローラー部１０３によって回転移動して前記第２のシャッターブレード３２をスライド移動可能にする。
【００４５】
次に、図１８に示したように、前記第１、第２のシャッターブレード３１，３２のスライド移動に応じて前記レンズ開口４が開放される。
【００４６】
この際、前記各々のシャッターブレード３１，３２がスライド移動するとともに、前記第１のシャッターブレード３１に形成された結合部材３１ａが前記第２のシャッターブレード３２に形成された結合溝３２ａから離脱する。
【００４７】
図１６及び図１７からわかるように、前記電磁石４１に電流を再び供給するが、その際に電流の流れを変える。これにより、前記電磁石４１のＮ、Ｓの両電極を逆変換させるとともに、磁気力を発生させ、これを用いて前記永久磁石４２を時計方向に回転させる。
【００４８】
この際、図１５に示したように、前記永久磁石４２とともに前記回転リンク５０も時計方向に回転して前記第１のシャッターブレード３１を再びスライド移動させる。
【００４９】
図１７を参照すれば、前記回転リンク５０は回転するとともに、前記第２のワイヤー１０２の一端１０２ａを巻く。この際、前記第２のワイヤー１０２は前記第３のローラー部１０３ｃを通じて回転移動して前記第２のワイヤー１０２の他の一端１０２ｂと連結された第２のシャッターブレード３２を時計方向にスライド移動させる。
【００５０】
図１４を参照すれば、前記第１、第２のシャッターブレード３１，３２が時計方向にスライド移動するとともに、前記レンズ開口４を閉じる。
【００５１】
ここで、図１２及び図１３のように、前記第１のシャッターブレード３１の一側面には、前記シャッターブレードの長さ方向に提供され、前記第２のワイヤー１０２の回転移動をガイドする第１のガイド溝３０１が形成される。前記第２のシャッターブレード３２の一側面には、前記シャッターブレードの長さ方向に提供され、前記第１のワイヤー１０１の回転移動をガイドする第２のガイド溝３０２が形成される。
【００５２】
以上、本発明の詳細について具体的な実施の形態に基づいて説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００５３】
【図１】従来のカメラモジュールのシャッター駆動装置を示した斜視図。
【図２】従来のカメラモジュールのシャッター駆動装置の作動状態を示した平面図。
【図３】本発明の第１の実施形態によるカメラモジュールのシャッター駆動装置の構成を示した分解斜視図。
【図４】本発明の第１の実施形態によるカメラモジュールのシャッター駆動装置の構成のうち、シャッターブレードの結合状態を示した分解斜視図。
【図５】本発明の第１の実施形態によるカメラモジュールのシャッター駆動装置の結合状態を示した斜視図。
【図６】本発明の第１の実施形態によるカメラモジュールのシャッター駆動装置の作動以前の状態を示した平面図。
【図７】本発明の第１の実施形態によるカメラモジュールのシャッター駆動装置の作動過程を示した斜視図。
【図８】本発明の第１の実施形態によるカメラモジュールのシャッター駆動装置の作動過程を示した平面図。
【図９】本発明の第１の実施形態によるカメラモジュールのシャッター駆動装置の作動以後の状態を示した斜視図。
【図１０】本発明の第１の実施形態によるカメラモジュールのシャッター駆動装置の作動以後の状態を示した平面図。
【図１１】本発明の第１の実施形態によるカメラモジュールのシャッター駆動装置の構成のうち、シャッタターブレードの他の実施形態を示した斜視図。
【図１２】本発明の第２の実施形態によるカメラモジュールのシャッター駆動装置の構成を示した分解斜視図。
【図１３】本発明の第２の実施形態によるカメラモジュールのシャッター駆動装置の構成のうち、シャッターブレードの結合状態を示した切断斜視図。
【図１４】本発明の第２の実施形態によるカメラモジュールのシャッター駆動装置の結合状態を示した斜視図。
【図１５】本発明の第２の実施形態によるカメラモジュールのシャッター駆動装置の作動以前の状態を示した平面図。
【図１６】本発明の第２の実施形態によるカメラモジュールのシャッター駆動装置の作動過程を示した斜視図。
【図１７】本発明の一実施形態によるカメラモジュールのシャッター駆動装置の作動過程を示した平面図。
【図１８】本発明の第２の実施形態によるカメラモジュールのシャッター駆動装置の作動以後の状態を示した斜視図。
【図１９】本発明の第２の実施形態によるカメラモジュールのシャッター駆動装置の作動以後の状態を示した平面図。
【符号の説明】
【００５４】
１  カメラモジュール
２  レンズハウジング
３  カメラレンズモジュール
４  レンズ開口
５  シャッターブレード
６  シャッター駆動部
Ａ１  回転軸
１０  シャッター駆動装置
２０  レンズハウジング
３０  シャッターブレード
３１  第１のシャッターブレード
３１ａ  結合部材
３２  第２のシャッターブレード
３２ａ  結合溝
４０  シャッター駆動装置部
４１  電磁石
４２  永久磁石
５０  回転リンク
５１，５２  一端
６０  連結ホール
７０  シャッターブレード
１００  ワイヤー巻取り手段
１０１  第１のワイヤー
１０１ａ，１０１ｂ  一端
１０２  第２のワイヤー
１０２ａ，１０２ｂ  一端
１０３  ローラー部
１０３ａ  第１のローラー部
１０３ｂ  第２のローラー部
１０３ｃ  第３のローラー部
【図１】
2007140454.tif 000003
【図２】
2007140454.tif 000004
【図３】
2007140454.tif 000005
【図４】
2007140454.tif 000006
【図５】
2007140454.tif 000007
【図６】
2007140454.tif 000008
【図７】
2007140454.tif 000009
【図８】
2007140454.tif 000010
【図９】
2007140454.tif 000011
【図１０】
2007140454.tif 000012
【図１１】
2007140454.tif 000013
【図１２】
2007140454.tif 000014
【図１３】
2007140454.tif 000015
【図１４】
2007140454.tif 000016
【図１５】
2007140454.tif 000017
【図１６】
2007140454.tif 000018
【図１７】
2007140454.tif 000019
【図１８】
2007140454.tif 000020
【図１９】
2007140454.tif 000021